(57)【要約】 【課題】  通風換気を確保しつつ冷暖房負荷の軽減を図る。【解決手段】本発明に係る建物内の仕切り構造１は、居室であるリビングルーム２の階段室側開口３に仕切り材としてのスクリーン４を配置することで、リビングルーム２と該リビングルームに連通する階段室５との間を仕切ることができるようになっている。スクリーン４は、中空角形断面をなす長尺状の収納ボックス７内にロール６に巻き付けた状態で収納してあり、ロール６から巻き出して収納ボックス７から下方に展開できるようになっている。収納ボックス７は、階段室５の内壁に取り付けられた幕板１０と同一高さに取り付けてある。【選択図】  図１
2010031520.tif 000002
【特許請求の範囲】
【請求項１】
居室の階段室側開口に所定の仕切り材を配置することで前記居室と該居室に連通する階段室との間を仕切ることができるようになっている建物内の仕切り構造であって、前記仕切り材を所定の収納ボックス内に展開自在に収納するとともに、該収納ボックスを前記居室の天井又は該天井の階段室側縁部から上方に延びる上階の壁に水平に配置したことを特徴とする建物内の仕切り構造。
【請求項２】
前記収納ボックスを、前記階段室の内壁に取り付けられた幕板と同一高さに取り付けた請求項１記載の建物内の仕切り構造。
【請求項３】
居室の階段室側開口に所定の仕切り材を配置することで前記居室と該居室に連通する階段室との間を仕切ることができるようになっている建物内の仕切り構造であって、前記居室の天井又は該天井の階段室側縁部から上方に延びる上階の壁に所定のレールを水平に配置して該レールに前記仕切り材を吊持するとともに、前記仕切り材を所定の収納ボックス内に展開自在に収納し、該収納ボックスを、前記レールの直下であって前記階段室の内壁に鉛直に配置したことを特徴とする建物内の仕切り構造。
【請求項４】
前記レールを、前記階段室の内壁に取り付けられた幕板と同一高さに取り付けた請求項３記載の建物内の仕切り構造。
【発明の詳細な説明】
【技術分野】
【０００１】
本発明は、主として住宅における建物内の仕切り構造に関する。
【背景技術】
【０００２】
衛生的な環境を確保するとともに居住快適性を高めるためには、住宅内の通風換気を図ることがきわめて重要であり、従来、住宅内の換気に関して数多くの提案がなされてきた。
【０００３】
例えば、居室ごとに給気ファンを設けるとともに階段室や吹抜けの最上部に排気ファンを設けることで、居室ごとの換気を不要にする提案がなされている（特許文献１）。
【０００４】
また、吹抜けの下端部に開閉扉を設けて屋外に開放するとともに、該吹抜けを途中階の各フロアに連通させ、さらに吹抜けの上端部を屋外と連通可能に構成する提案がなされている（特許文献２）。
【０００５】
【特許文献１】特開平１１−１４８６９３号公報
【特許文献２】特開２００２−２４２４５７号公報
【特許文献３】特開２００２−１３８６８５号公報
【発明の開示】
【発明が解決しようとする課題】
【０００６】
ここで、階段室や吹抜けを利用して通風換気を高めようとすると、各居室での冷気や暖気が逃げてしまい、冷暖房効率が低下するという問題を生じていた。
【０００７】
一方、特許文献３においては、玄関側の通路部とパブリックルームとの間に階段を設け、該階段に通路部側出入口とパブリックルーム側出入口とを別々に設置するとともに、各出入口に開閉扉を取り付けてなる仕切階段付き住宅が提案されている。
【０００８】
かかる構成によれば、季節に応じて各出入り口の開閉を操作することにより、通風確保と冷暖房負荷の軽減を両立させることが可能となる。
【０００９】
しかしながら、上記提案は、共有スペースと玄関廻りとの位置関係に制約があるとともに、新築時でなければ採用が難しく、もっと汎用的な解決手段が望まれていた。
【課題を解決するための手段】
【００１０】
本発明は、上述した事情を考慮してなされたもので、通風換気を確保しつつ冷暖房負荷の軽減を図ることが可能な建物内の仕切り構造を提供することを目的とする。
【００１１】
上記目的を達成するため、本発明に係る建物内の仕切り構造は請求項１に記載したように、居室の階段室側開口に所定の仕切り材を配置することで前記居室と該居室に連通する階段室との間を仕切ることができるようになっている建物内の仕切り構造であって、前記仕切り材を所定の収納ボックス内に展開自在に収納するとともに、該収納ボックスを前記居室の天井又は該天井の階段室側縁部から上方に延びる上階の壁に水平に配置したものである。
【００１２】
また、本発明に係る建物内の仕切り構造は、前記収納ボックスを、前記階段室の内壁に取り付けられた幕板と同一高さに取り付けたものである。
【００１３】
また、本発明に係る建物内の仕切り構造は請求項３に記載したように、居室の階段室側開口に所定の仕切り材を配置することで前記居室と該居室に連通する階段室との間を仕切ることができるようになっている建物内の仕切り構造であって、前記居室の天井又は該天井の階段室側縁部から上方に延びる上階の壁に所定のレールを水平に配置して該レールに前記仕切り材を吊持するとともに、前記仕切り材を所定の収納ボックス内に展開自在に収納し、該収納ボックスを、前記レールの直下であって前記階段室の内壁に鉛直に配置したものである。
【００１４】
また、本発明に係る建物内の仕切り構造は、前記レールを、前記階段室の内壁に取り付けられた幕板と同一高さに取り付けたものである。
【００１５】
第１の発明に係る建物内の仕切り構造においては、居室と該居室に連通する階段室との間を仕切る仕切り材を収納ボックスに展開自在に収納するとともに、該収納ボックスを、居室の階段室側開口であって居室の天井又は該天井の階段室側縁部から上方に延びる上階の壁に水平に配置してある。
【００１６】
このようにすると、収納ボックスに仕切り材を収納した状態においては、居室の階段室側開口が解放され、居室内の空間が階段室の空間と連通するため、階段室を介した居室内の通風換気が可能となる。
【００１７】
一方、冷房時あるいは暖房時において冷暖房負荷を下げたいときには、収納ボックスから仕切材を下方に展開し、該仕切り材を居室の階段室側開口に配置する。
【００１８】
このようにすると、居室と該居室に連通する階段室との間が仕切り材で仕切られることとなり、かくして居室内の冷気や暖気が階段室側開口を介して階段室に逃げるのを未然に防ぐことができる。
【００１９】
仕切材は、巻取り、折り上げ等の方法で収納及び展開ができるのであればその構成は任意であり、例えばロールスクリーンやシェードタイプ（折り上げ式）のカーテンあるいは横型ブラインドで構成することが可能である。
【００２０】
収納ボックスを取り付ける高さは任意であるが、階段室の内壁に取り付けられた幕板と同一高さとしたならば、収納ボックスは、幕板とともに同一高さで階段を取り囲むように配置されることとなり、階段室の意匠を損なう懸念がなくなる。
【００２１】
第２の発明に係る建物内の仕切り構造においては、居室と該居室に連通する階段室との間を仕切る仕切り材を収納ボックスに展開自在に収納するとともに、該収納ボックスを、レール直下の階段室の内壁に鉛直に配置してある。
【００２２】
このようにすると、仕切り材を収納ボックスに収納した状態においては、居室の階段室側開口が解放され、居室内の空間が階段室の空間と連通するため、階段室を介した居室内の通風換気を行うことが可能となる。
【００２３】
一方、冷房時あるいは暖房時において冷暖房負荷を下げたいときには、収納ボックスから仕切材を側方に展開し、居室の階段室側開口に配置する。
【００２４】
このようにすると、居室と該居室に連通する階段室との間が仕切り材で仕切られることとなり、かくして居室内の冷気や暖気が階段室側開口を介して階段室に逃げるのを未然に防ぐことができる。
【００２５】
仕切材は、レールに沿って水平に引くことにより収納及び展開ができるのであればその構成は任意であり、例えば一般的なカーテンやブラインドで構成することが可能である。
【００２６】
レールを取り付ける高さは任意であるが、階段室の内壁に取り付けられた幕板と同一高さとしたならば、レールは、幕板とともに同一高さで階段を取り囲むように配置されることとなり、階段室の意匠を損なう懸念がなくなる。
【発明を実施するための最良の形態】
【００２７】
以下、本発明に係る建物内の仕切り構造の実施の形態について、添付図面を参照して説明する。なお、従来技術と実質的に同一の部品等については同一の符号を付してその説明を省略する。
【００２８】
（第１実施形態）
【００２９】
図１は、本実施形態に係る建物内の仕切り構造を示した全体斜視図、図２は同じく平面図、図３は鉛直断面図である。これらの図でわかるように、本実施形態に係る建物内の仕切り構造１は、居室であるリビングルーム２の階段室側開口３に仕切り材としてのスクリーン４を配置することで、リビングルーム２と該リビングルームに連通する階段室５との間を仕切ることができるようになっている。
【００３０】
スクリーン４は、中空角形断面をなす長尺状の収納ボックス７内にロール６に巻き付けた状態で収納してあり、ロール６から巻き出して収納ボックス７から下方に展開できるようになっている。巻取り及び巻出しの機構については、市販のロールスクリーンに採用されている公知の機構から適宜選択すればよい。
【００３１】
ここで、リビングルーム２の天井８の階段室側縁部からは、二階の腰壁９が上方に延びているが、収納ボックス７は、この腰壁９の階段室側側面に水平に取り付けてある。
【００３２】
スクリーン４は、収納ボックス７から展開したとき、階段室開口３をできるだけ隙間なく塞ぐことができるよう、該階段室開口の形状寸法に合わせて適宜製作すればよく、例えば、階段室５の内壁と手摺壁との内法Ｗを幅とし、リビングルーム２の床から収納ボックス７までの高さＨを展開時の長さとすることができる。
【００３３】
なお、スクリーン４を収納ボックス７から引き出して下方に展開したとき、風等による揺れ動きを防止するためにスクリーン４の下縁に錘を取り付けておくか、又はスクリーン４の下縁を階段室５の床に係止できるようにしておくのが望ましい。
【００３４】
収納ボックス７は、階段室５の内壁に取り付けられた幕板１０と同一高さに取り付けてある。
【００３５】
本実施形態に係る建物内の仕切り構造１において、リビングルーム２内の通風換気を行う場合には、スクリーン４を収納ボックス７に収納する。
【００３６】
このようにすると、リビングルーム２の階段室側開口３が解放され、リビングルーム２内の空間が階段室５の空間と連通するので、階段室５を介したリビングルーム２内の通風換気が適宜行われる。
【００３７】
一方、冷房時あるいは暖房時において冷暖房負荷を下げたいときには、スクリーン４を収納ボックス７から引き出して下方に展開し、リビングルーム２の階段室側開口３を塞ぐようにして配置する。
【００３８】
このようにすると、リビングルーム２と該リビングルームに連通する階段室５との間がスクリーン４で仕切られるため、階段室５への冷気や暖気の流出、あるいは階段室５内の空気の流入が防止される。
【００３９】
以上説明したように、本実施形態に係る建物内の仕切り構造１によれば、リビングルーム２と該リビングルームに連通する階段室５との間を仕切るスクリーン４を収納ボックス７に展開自在に収納するとともに、該収納ボックスを、リビングルーム２の階段室側開口３であってリビングルーム２の天井８の階段室側縁部から上方に延びる二階の腰壁９に水平に配置したので、スクリーン４を収納ボックス７に収納した状態においては、階段室５を介したリビングルーム２内の通風換気を行うことが可能となり、スクリーン４を収納ボックス７から引き出して下方に展開した状態においては、冷暖房負荷を下げることが可能となる。加えて、スクリーン４を収納した通風換気状態と、スクリーン４を展開した省エネ状態とは、季節や時刻あるいは居住者の好みによって、随時切り替えることが可能である。
【００４０】
また、本実施形態に係る建物内の仕切り構造１によれば、収納ボックス７を階段室５の内壁に取り付けられた幕板１０と同一高さに取り付けたので、収納ボックス７は、幕板１０とともに同一高さで階段を取り囲むように配置されることとなり、階段室５の意匠を損なう懸念がなくなる。
【００４１】
本実施形態では、収納ボックス７を階段室５の内壁に取り付けられた幕板１０と同一高さに取り付けるようにしたが、階段室５の意匠に影響を及ぼさないのであれば、収納ボックス７を任意の位置に取り付けてもかまわない。
【００４２】
また、本実施形態では、仕切り材としてスクリーン４を採用したが、かかるスクリーン４に代えて、横型ブラインド（帯状のルーバーを水平に並べたもの）を仕切り材としてもかまわない。
【００４３】
（第２実施形態）
【００４４】
次に、第２実施形態について説明する。なお、第１実施形態と実質的に同一の部品等については同一の符号を付してその説明を省略する。
【００４５】
図４は、本実施形態に係る建物内の仕切り構造を示した全体斜視図、図５は同じく平面図、図６は鉛直断面図である。これらの図でわかるように、本実施形態に係る建物内の仕切り構造２１は、居室であるリビングルーム２の階段室側開口３に仕切り材としてのカーテン２４を配置することで、リビングルーム２と該リビングルームに連通する階段室５との間を仕切ることができるようになっている。
【００４６】
ここで、リビングルーム２の天井８の階段室側縁部からは、二階の腰壁９が上方に延びているが、カーテン２４を吊持するレール２７は、この腰壁９の階段室側側面に水平に取り付けてある。
【００４７】
また、階段室５の内壁である手摺壁３１には、レール２７の直下に収納ボックス２８を埋設してあり、カーテン２４は、かかる収納ボックス２８内に展開自在に収納してある。
【００４８】
カーテン２４は、収納ボックス２８から展開したとき、階段室開口３をできるだけ隙間なく塞ぐことができるよう、該階段室開口の形状寸法に合わせて適宜製作すればよく、例えば、リビングルーム２の床からレール２７までの高さＨを長さとし、階段室５の内壁と手摺壁との内法Ｗを展開時の幅とすることができる。
【００４９】
収納ボックス２８は図５(b)に示すように、溝状の収納本体２９とその溝開口に配置される扉３０とで構成してあり、扉３０を閉めることで、収納されたカーテン２４が目に触れないようにしておくことができる。
【００５０】
なお、カーテン２４を収納ボックス２８から引き出して側方に展開したとき、風等による揺れ動きを防止するためにカーテン２４の下縁に錘を取り付けておくか、又はカーテン２４の下縁を階段室５の床に係止できるようにしておくのが望ましい。
【００５１】
レール２７は、階段室５の内壁に取り付けられた幕板１０と同一高さに取り付けてある。
【００５２】
本実施形態に係る建物内の仕切り構造２１において、リビングルーム２内の通風換気を行う場合には、カーテン２４を収納ボックス２８に収納する。
【００５３】
このようにすると、リビングルーム２の階段室側開口３が解放され、リビングルーム２内の空間が階段室５の空間と連通するので、階段室５を介したリビングルーム２内の通風換気が適宜行われる。
【００５４】
一方、冷房時あるいは暖房時において冷暖房負荷を下げたいときには、カーテン２４を収納ボックス２８から引き出して側方に展開し、リビングルーム２の階段室側開口３を塞ぐようにして配置する。
【００５５】
このようにすると、リビングルーム２と該リビングルームに連通する階段室５との間がカーテン２４で仕切られるため、階段室５への冷気や暖気の流出、あるいは階段室５内の空気の流入が防止される。
【００５６】
以上説明したように、本実施形態に係る建物内の仕切り構造２１によれば、リビングルーム２と該リビングルームに連通する階段室５との間を仕切るカーテン２４を収納ボックス２８に展開自在に収納するとともに、該収納ボックスを、レール２７直下の階段室５の内壁である手摺壁３１に鉛直に埋設したので、カーテン２４を収納ボックス２８に収納した状態においては、階段室５を介したリビングルーム２内の通風換気を行うことが可能となり、カーテン２４を収納ボックス２８から引き出して側方に展開した状態においては、冷暖房負荷を下げることが可能となる。加えて、カーテン２４を収納した通風換気状態と、カーテン２４を展開した省エネ状態とは、季節や時刻あるいは居住者の好みによって、随時切り替えることが可能である。
【００５７】
また、本実施形態に係る建物内の仕切り構造２１によれば、レール２７を階段室５の内壁に取り付けられた幕板１０と同一高さに取り付けたので、レール２７は、幕板１０とともに同一高さで階段を取り囲むように配置されることとなり、階段室５の意匠を損なう懸念がなくなる。
【００５８】
本実施形態では、レール２７を階段室５の内壁に取り付けられた幕板１０と同一高さに取り付けるようにしたが、階段室５の意匠に影響を及ぼさないのであれば、レール２７を任意の位置に取り付けてもかまわない。
【００５９】
また、本実施形態では、仕切り材としてドレープ状のカーテン２４を採用したが、かかるカーテン２４に代えて、アコーディオンカーテンや縦型ブラインド（帯状のルーバーを鉛直に並べたもの）を仕切り材としてもかまわない。
【００６０】
また、本実施形態では、仕切り材であるカーテン２４を片開きとしたが、これに代えて、両開きのカーテンを採用してもよい。なお、両開きの場合には、収納ボックス２８の向かいに収納ボックス２８と同一構造の収納ボックスを別途設ける。
【図面の簡単な説明】
【００６１】
【図１】第１実施形態に係る建物内の仕切り構造の全体斜視図。
【図２】同じく平面図であり、(a)は一階平面図、(b)は二階平面図。
【図３】同じく鉛直断面図であり、(a)はＡ−Ａ線に沿う図、(b)は収納ボックス７周辺の詳細図。
【図４】第２実施形態に係る建物内の仕切り構造の全体斜視図。
【図５】同じく平面図であり、(a)は一階平面図、(b)は収納ボックス２８周辺の詳細図。
【図６】Ｂ−Ｂ線に沿う鉛直断面図。
【符号の説明】
【００６２】
１，２１                        建物内の仕切り構造
２                              リビングルーム（居室）
３                              階段室側開口
４                              スクリーン（仕切り材）
５                              階段室
７，２８                        収納ボックス
９                              腰壁（上階の壁）
１０                            幕板
２４                            カーテン（仕切り材）
２７                            レール
【図１】
2010031520.tif 000003
【図２】
2010031520.tif 000004
【図３】
2010031520.tif 000005
【図４】
2010031520.tif 000006
【図５】
2010031520.tif 000007
【図６】
2010031520.tif 000008